(57)【要約】【課題】多層化された光情報記録媒体を煩雑な作製プロセスを用いることなく作製することが可能な光情報記録媒体初期化装置および光情報記録媒体初期化方法と、これにより作製された光情報記録媒を提供する。【解決手段】本発明によれば、可干渉性を有する所定波長の光線を射出する、１または複数の光源１０１と、光源１０１から射出した光線の光路を変更し、光情報記録媒体２０への入射角度を調整する入射角度変更部（１１１，１１３）と、を備え、複数の光線を光情報記録媒体２０中の記録材料２０１に入射して、当該記録材料２０１を層状に変質させて多層構造とする光情報記録媒体初期化装置１０が提供される。【選択図】図２
2009009620.tif 000002
【特許請求の範囲】
【請求項１】
可干渉性を有する所定波長の光線を射出する、１または複数の光源と、
前記光源から射出した光線の光路を変更し、光情報記録媒体への入射角度を調整する入射角度変更部と、
を備え、
複数の前記光線を前記光情報記録媒体中の記録材料に入射して、当該記録材料を層状に変質させて多層構造とする
ことを特徴とする、光情報記録媒体初期化装置。
【請求項２】
前記光情報記録媒体初期化装置は、前記光源を１つ有し、
前記光源からの光線を分岐して、複数の初期化光線とする光路分岐部を更に備える
ことを特徴とする、請求項１に記載の光情報記録媒体初期化装置。
【請求項３】
前記光路分岐部は、前記光線を２本の初期化光線に分岐し、
前記２本の初期化光線の一方は、前記光情報記録媒体の一側の平面から当該光情報記録媒体へと入射し、
前記２本の初期化光線の他方は、前記光情報記録媒体の他側の平面から当該光情報記録媒体へと入射する
ことを特徴とする、請求項２に記載の光情報記録媒体初期化装置。
【請求項４】
前記入射角度変更部は、前記２本の初期化光線の前記光情報記録媒体の平面に対する入射角度が等しくなるように、前記２本の初期化光線を調整することを特徴とする、請求項３に記載の光情報記録媒体初期化装置。
【請求項５】
前記記録材料が変質した層の厚みがΔＤ［ｎｍ］となるように波長λ［ｎｍ］の前記光線を用いて初期化を行う場合に、
前記入射角度変更部は、前記初期化光線の入射角度θが以下の式１から得られる値となるように、前記２本の初期化光線を調整することを特徴とする、請求項４に記載の光情報記録媒体初期化装置。
【数１】
2009009620.tif 000006
【請求項６】
前記波長は、前記光情報記録媒体中の記録材料に対して光感度を有する波長であることを特徴とする、請求項１に記載の光情報記録媒体初期化装置。
【請求項７】
前記初期化光線のビーム径は、前記光情報記録媒体に対して全面照射可能な大きさであることを特徴とする、請求項１に記載の光情報記録媒体初期化装置。
【請求項８】
前記初期化光線は、平行光であることを特徴とする、請求項１に記載の光情報記録媒体初期化装置。
【請求項９】
前記光情報記録媒体の厚みは、当該光情報記録媒体の平面方向の大きさよりも小さく、
前記光線の可干渉距離は、前記光情報記録媒体の厚みよりも長い
ことを特徴とする、請求項１に記載の光情報記録媒体初期化装置。
【請求項１０】
可干渉性を有する所定波長の光線を射出する１または複数の光源からの光線の光路を変更して、所定の角度で光情報記録媒体中の記録材料へと入射するステップと、
前記記録材料を層状に変質させて、前記記録材料を多層化するステップと、
を含むことを特徴とする、光情報記録媒体初期化方法。
【請求項１１】
可干渉性を有する所定波長の光線を射出する、１または複数の光源と、前記光源から射出した光線の光路を変更し、光情報記録媒体への入射角度を調整する入射角度変更部と、を備え、前記複数の光線を前記光情報記録媒体中の記録材料に入射して、当該記録材料を層状に変質させて多層構造とする光情報記録媒体初期化装置により製造され、
前記記録材料が変質している層と、前記記録材料が変質していない層とが、交互に複数存在することを特徴とする、光情報記録媒体。
【発明の詳細な説明】
【技術分野】
【０００１】
本発明は、光情報記録媒体初期化装置、光情報記録媒体初期化方法および光情報記録媒体に関する。
【背景技術】
【０００２】
従来、光情報記録媒体としては、円盤状の光ディスクが広く普及しており、一般的に、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、および、Ｂｌｕ−Ｒａｙ  Ｄｉｓｃ（登録商標、以下ＢＤとも称する。）等が用いられている。
【０００３】
一方、かかる光ディスクに対応した光ディスク装置では、音楽コンテンツや映像コンテンツ等の各種コンテンツ、あるいはコンピュータ用の各種データ等のような種々の情報を、当該光ディスクに記録することが行われている。特に近年では、映像の高精細化や音楽の高音質化等により情報量が増大し、また１枚の光ディスクに記録するコンテンツ数の増加が要求されているため、光ディスクのさらなる大容量化が求められている。
【０００４】
そこで、光ディスクを大容量化する手法の一つとして、２系統の光ビームを干渉させて記録媒体内に微小なホログラムを形成することにより、情報を記録するようになされたものが提案されている（例えば、特許文献１参照。）。
【０００５】
また、光ディスクを大容量化する別の手法として、従来の光ディスクを積層し、多層化することにより、記録密度を向上させる方法も開発されている（例えば、非特許文献１参照。）。
【０００６】
【特許文献１】特開２００６−７８８３４号公報
【非特許文献１】Ｉ．Ｉｃｈｉｍｕｒａ  ｅｔ  ａｌ，Ｔｅｃｈｎｉｃａｌ  Ｄｉｇｅｓｔ  ｏｆ  ＩＳＯＭ’０４，ｐｐ．５２，  Ｏｃｔ．１１−１５，Ｊｅｊｕ  Ｋｏｒｅａ．
【発明の開示】
【発明が解決しようとする課題】
【０００７】
しかしながら、上記非特許文献１に記載の方法を用いて光情報記録媒体を作製する場合、作製プロセスとして情報記録媒体に複数の構造物を積層する必要があり、光情報記録媒体の作製プロセスが煩雑になるという問題があった。そのため、光情報記録媒体の歩留まりが悪化し、光情報記録媒体のコストが高くなるという問題が発生してしまう。
【０００８】
そこで、本発明は、このような問題に鑑みてなされたもので、その目的は、多層化された光情報記録媒体を煩雑な作製プロセスを用いることなく作製することが可能な、新規かつ改良された光情報記録媒体初期化装置および光情報記録媒体初期化方法と、これにより作製された光情報記録媒を提供することにある。
【課題を解決するための手段】
【０００９】
上記課題を解決するために、本発明のある観点によれば、可干渉性を有する所定波長の光線を射出する、１または複数の光源と、前記光源から射出した光線の光路を変更し、光情報記録媒体への入射角度を調整する入射角度変更部と、を備え、複数の前記光線を前記光情報記録媒体中の記録材料に入射して、当該記録材料を層状に変質させて多層構造とする光情報記録媒体初期化装置が提供される。
【００１０】
かかる構成によれば、１または複数の光源は、可干渉性を有する所定波長の光線を射出し、入射角度変更部は、１または複数の光源から射出した光線の光路を変更し、光情報記録媒体への入射角度を調整する。かかる構成を有する光情報記録媒体初期化装置により初期化を行うことで、光情報記録媒体の記録材料を層状に変質させて、多層構造を有する光情報記録媒体を製造することができる。
【００１１】
前記光情報記録媒体初期化装置は、前記光源を１つ有し、前記光源からの光線を分岐して、複数の初期化光線とする光路分岐部を更に備えてもよい。
【００１２】
前記光路分岐部は、前記光線を２本の初期化光線に分岐し、前記２本の初期化光線の一方は、前記光情報記録媒体の一側の平面から当該光情報記録媒体へと入射し、前記２本の初期化光線の他方は、前記光情報記録媒体の他側の平面から当該光情報記録媒体へと入射してもよい。
【００１３】
前記入射角度変更部は、前記２本の初期化光線の前記光情報記録媒体の平面に対する入射角度が等しくなるように、前記２本の初期化光線を調整してもよい。
【００１４】
また、前記記録材料が変質した層の厚みがΔＤ［ｎｍ］となるように波長λ［ｎｍ］の前記光線を用いて初期化を行う場合に、前記入射角度変更部は、前記初期化光線の入射角度θが以下の式１から得られる値となるように、前記２本の初期化光線を調整してもよい。
【００１５】
【数１】
2009009620.tif 000003
【００１６】
前記波長は、前記光情報記録媒体中の記録材料に対して光感度を有する波長であってもよい。
【００１７】
前記初期化光線のビーム径は、前記光情報記録媒体に対して全面照射可能な大きさであってもよい。
【００１８】
前記初期化光線は、平行光であってもよい。
【００１９】
前記光情報記録媒体の厚みは、当該光情報記録媒体の平面方向の大きさよりも小さく、前記光線の可干渉距離は、前記光情報記録媒体の厚みよりも長くてもよい。
【００２０】
上記課題を解決するために、本発明の別の観点によれば、可干渉性を有する所定波長の光線を射出する１または複数の光源からの光線の光路を変更して、所定の角度で光情報記録媒体中の記録材料へと入射するステップと、前記記録材料を層状に変質させて、前記記録材料を多層化するステップと、を含む光情報記録媒体初期化方法が提供される。
【００２１】
上記課題を解決するために、本発明の更に別の観点によれば、可干渉性を有する所定波長の光線を射出する、１または複数の光源と、前記光源から射出した光線の光路を変更し、光情報記録媒体への入射角度を調整する入射角度変更部と、を備え、前記複数の光線を前記光情報記録媒体中の記録材料に入射して、当該記録材料を層状に変質させて多層構造とする光情報記録媒体初期化装置により製造され、前記記録材料が変質している層と、前記記録材料が変質していない層とが、交互に複数存在する光情報記録媒体が提供される。
【発明の効果】
【００２２】
本発明によれば、所定の波長を有する初期化光線を照射することで光情報記録媒体中の記録材料を変質させることで、多層化された光情報記録媒体を煩雑な作製プロセスを用いることなく作製することが可能である。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
（第１の実施形態）
以下に、図１〜図３を参照しながら、本発明の第１の実施形態に係る光情報記録媒体初期化装置１０について、詳細に説明する。図１は、本実施形態に係る光情報記録媒体初期化装置１０について説明するための説明図である。図２は、本実施形態に係る初期化光線の照射方法の一例について説明するための説明図である。図３は、本実施形態に係る光情報記録媒体を説明するための説明図である。
【００２５】
なお、以下に説明する本発明の第１の実施形態に係る光情報記録媒体初期化装置１０においては、１つの光源から射出した光線が、光路分岐部により２本の初期化光線に分岐される場合について説明するが、本実施形態に係る光情報記録媒体初期化装置が以下の例に限定されるわけではなく、光源が複数存在する場合や光線が光路分岐部により複数の初期化光線に分岐される場合であっても同様であることは、言うまでもない。
【００２６】
（光情報記録媒体初期化装置１０の構成）
本実施形態に係る光情報記録媒体初期化装置１０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を有する初期化装置制御部（図示せず。）により全体を統括制御するように構成されており、未図示のＲＯＭや記憶部等に格納された基本プログラムや初期化プログラム等の各種プログラムを読み出し、これらのプログラムを未図示のＲＡＭ等に展開することで、光情報記録媒体の初期化処理を行うことが可能である。
【００２７】
本実施形態に係る光情報記録媒体初期化装置１０は、図１に示したように、例えば、光源１０１と、シャッター１０３と、コリメータレンズ１０７と、ビームスプリッター１０９と、角度調整ミラー１１１，１１３と、を備えており、記録材料を含む光情報記録媒体２０を初期化する。
【００２８】
光源１０１は、光情報記録媒体２０を初期化するために用いられる光線を射出する。本光情報記録媒体初期化装置１０では、光源１０１によって射出された光線による定在波を初期化に利用するため、可干渉性を有する光線を発振可能な光源を用いることが必要である。また、可干渉距離の長い光源を用いることにより、容易に定在波を発生させることが可能である。なお、可干渉距離の短い光源を用いる場合には、光情報記録媒体初期化装置１０内の光学系を調整し、初期化に用いる複数の光線の光路長を極力等しくなるように設計することで、定在波を発生させることが可能である。
【００２９】
光源１０１が発振する光線の波長は、初期化を行う光情報記録媒体２０中の記録材料に対して光感度を有する波長であることが好ましい。かかる波長を有する光線を射出可能な光源１０１を選択することで、光線の有するエネルギーを効果的に光情報記録媒体２０の初期化に利用することが可能となる。
【００３０】
また、光情報記録媒体２０の初期化に要する時間は、光源１０１から発振する光線の強度（パワー）に依存するため、初期化に要する時間を短縮するためには、光源１０１の出力は、極力大きいことが好ましい。
【００３１】
上記のような光源１０１の一例として、例えば、固体レーザーや半導体レーザー等を使用することが可能である。
【００３２】
シャッター１０３は、当該シャッター１０３自身の開閉によって、光源１０１から射出された光線を、シャッター１０３の後段に位置するコリメータレンズ１０７へと供給したり、コリメータレンズ１０７への供給を遮断したりする。シャッター１０３には、例えば、シャッターの開閉時間を制御するシャッター制御装置１０５が接続されており、シャッター１０３の開閉時間をシャッター制御装置１０５により制御することで、光源１０１から射出された光線の光情報記録媒体２０への露光時間を調整する。
【００３３】
コリメータレンズ１０７は、光源１０１から射出された光線を、平行光線に調整する。また、このコリメータレンズ１０７で、光源１０１から射出された光線を、光情報記録媒体２０中の記録材料全面を照射可能であるビーム径を有するように拡大してもよい。
【００３４】
光路分岐部の一例であるビームスプリッター１０９は、光源１０１から射出されレンズ１０７により平行光線となった光線の光路を分岐して、複数の初期化光線とする。図１に示した例では、ビームスプリッター１０９は、光源１０１からの光線を、初期化光線１と初期化光線２の２つの光路に分岐する。ビームスプリッター１０９の大きさは、コリメータレンズ１０７により拡大された光線のビーム径よりも大きいことが好ましい。また、大型のビームスプリッターを用いることができない場合には、光源１０１直後の光線を十分小さいビーム径の平行光線となるように調整し、ビームスプリッター１０９にて分岐した後に、それぞれの初期化光線をビームエキスパンダ等により拡大してもよい。
【００３５】
入射角度変更部の一例である角度調整ミラー１１１，１１３は、未図示の初期化装置制御部により制御されており、ビームスプリッター１０９により分岐され角度調整ミラーに入射した各初期化光線の反射方向を、それぞれ変更する。初期化光線の反射方向が、角度調整ミラーによって変更されることで、初期化光線が光情報記録媒体２０に入射する際の入射角度が変化する。ここで、角度調整ミラーの平面（反射面）と初期化光線とのなす角が入射角度となり、角度調整ミラーの平面と反射した初期化光線とのなす角が反射角度となる。角度調整ミラー１１１，１１３は、図１に示したように、当該角度調整ミラーの傾き具合を自由に変更可能であり、初期化装置制御部（図示せず。）は、角度調整ミラー１１１，１１３の傾き具合を制御することで、初期化光線の角度調整ミラーへの入射角度や角度調整ミラーからの反射角度、ひいては、初期化光線の光情報記録媒体への入射角度を調整することが可能である。
【００３６】
角度調整ミラー１１１，１１３により角度を調整された初期化光線は、それぞれの初期化光線の光路に対して斜めに配置された光情報記録媒体２０に、それぞれ入射する。例えば、図１に示した例では、初期化光線１は、角度調整ミラー１１１により角度を調整され、光情報記録媒体２０の一側の平面に所定の角度で入射する。また、初期化光線２は、角度調整ミラー１１３により角度を調整され、光情報記録媒体２０の他側の平面に所定の角度で入射する。それぞれの初期化光線のビーム径は、コリメータレンズ１０７等によって光情報記録媒体２０中の記録材料全面を照射可能なまで拡大されているために、一度の照射で、光情報記録媒体２０の全面に対して所定の波長を有する光線を照射することができる。
【００３７】
続いて、図２および図３を参照しながら、本実施形態に係る初期化光線の入射角度の一例について、詳細に説明する。本実施形態に係る光情報記録媒体初期化装置１０では、例えば図２に示したように、光情報記録媒体２０に対して、当該光情報記録媒体２０の表側から初期化光線２が所定の入射角度で入射し、光情報記録媒体２０の裏側から初期化光線１が所定の入射角度で入射する。なお、上記の光情報記録媒体２０の表側、裏側という記載は、あくまでも便宜的なものである。
【００３８】
初期化光線１や初期化光線２の入射角度は、図２に示したように、光情報記録媒体２０の平面と平行な基準軸２２と、各初期化光線の光軸方向とのなす角として定義される。初期化光線１の入射角度の大きさと、初期化光線２の入射角度の大きさは、異なっていても良いが、図２に示したように、初期化光線１の入射角度の大きさと、初期化光線２の入射角度の大きさは、等しいことが好ましい。初期化光線１の入射角度の大きさと、初期化光線２の入射角度の大きさが等しい場合には、図２に示したように、各初期化光線は、光情報記録媒体２０の基準軸２２に対して対称となる。
【００３９】
初期化光線１および初期化光線２は、それぞれ可干渉性を有するため、光情報記録媒体２０中で干渉して、光情報記録媒体２０中で定在波が発生する。光情報記録媒体２０中の記録材料２０１は、この定在波の強度分布に起因して、物理的及び／又は化学的に変質する。その結果、光情報記録媒体２０の内部には、図３に示したように、記録材料２０１が変質した層（変質層）２０３と、記録材料２０１が変質しなかった層（非変質層）２０５とが、交互に形成される。換言すれば、本実施形態に係る光情報記録媒体初期化装置１０における初期化処理とは、光情報記録媒体２０に所定波長の光を照射して、光情報記録媒体２０内全体に巨大なホログラムを記録する処理であるともいえる。また、初期化光線１と初期化光線２の入射角度が基準軸２２に対して±θの場合（すなわち、初期化光線１と初期化光線２の入射角度が基準軸２２に対して対称の場合）には、変質層２０３と非変質層２０５との界面は、基準軸２２に対して平行となる。なお、光情報記録媒体２０中の記録材料２０１が定在波によってどのように変質するかは、記録材料２０１の性質に依存する。この記録材料の性質については、以下で改めて説明する。
【００４０】
光情報記録媒体２０中の記録材料２０１内に形成される変質層２０３および非変質層２０５の層の厚みΔＤ［ｎｍ］は、光情報記録媒体２０中に発生する定在波に依存する。光情報記録媒体２０に入射する初期化光線の波長（すなわち、光源１０１から射出される光線の波長）がλ［ｎｍ］であり、初期化光線が光情報記録媒体２０に入射角度θで入射する場合には、層の厚みΔＤは、以下の式１０１で表される。
【００４１】
【数２】
2009009620.tif 000004
【００４２】
初期化光線の波長λは、上述のように、光情報記録媒体２０中の記録材料２０１に対して光感度を有する波長に固定されるため、光情報記録媒体２０への入射角度θを制御することで、変質層２０３および非変質層２０５の層の厚みを任意の値に制御することが可能であり、形成される変質層２０３および非変質層２０５の層数を制御することができる。
【００４３】
つまり、角度調整ミラー１１１，１１３を、初期化光線の光情報記録媒体２０への入射角度θが以下の式１０２で算出される値となるように制御することで、変質層２０３および非変質層２０５の厚みを、所望の厚みにすることが可能である。
【００４４】
【数３】
2009009620.tif 000005
【００４５】
光情報記録媒体２０内の記録材料２０１に形成された変質層２０３または非変質層２０５は、各種情報が記録される記録層として機能することとなる。この場合に、変質層２０３を記録層として利用するのか、非変質層２０５を記録層として利用するのかは、記録材料２０１に生じた変質により、適宜選択することが可能である。
【００４６】
初期化が行われた光情報記録媒体２０は、上記のような変質層２０３および非変質層２０５が記録材料２０１中に交互に形成されることで、情報が記録可能な層（記録層）と不可能な層が明確に区分されることとなる。従って、初期化が行われた光情報記録媒体２０は、いわゆる閾値特性を有することとなる。また、初期化光線の入射角度を制御することで、変質層２０３や非変質層２０５の層数を制御することが可能であるため、多層記録が可能な光情報記録媒体を煩雑なプロセスを用いることなく作製することが可能である。
【００４７】
なお、図３では、変質層２０３および非変質層２０５が、それぞれ２層ずつ形成された場合について図示しているが、光情報記録媒体２０中の記録材料２０１内に形成される変質層２０３や非変質層２０５の層数は上記の例に限定されるわけではなく、任意の層数を有する多層構造を形成することが可能である。
【００４８】
（光情報記録媒体２０）
続いて、図３を参照しながら、本実施形態に係る光情報記録媒体２０について、詳細に説明する。本実施形態に係る光情報記録媒体２０は、例えば、所定波長の光線により物理的及び／又は化学的に変質しうる記録材料２０１と、記録材料２０１の両側に配置されるカバー層（図示せず。）と、を備える。また、光情報記録媒体２０は、正方形板状や長方形板状に形成されてもよく、例えば光ディスク等のように円盤状に形成されてもよい。
【００４９】
記録材料２０１は、所定の波長の光によって、その物理的及び／又は化学的な性質が変化する（変質する）化合物である。ここで、記録材料２０１の物理的な変質としては、例えば、光が有するエネルギーによる加熱や、光が有するエネルギー自体によって、記録材料２０１の熱的な特性や光学的な特性（屈折率や反射率等）や磁気的な特性が変化したり、記録材料２０１の硬さ等が変化したり、記録材料２０１が結晶相からアモルファス相もしくはアモルファス相から結晶相へと相変化したりすること等を挙げることができる。また、記録材料２０１の化学的な変質としては、例えば、光が有するエネルギーによる加熱や、光が有するエネルギー自体によって、記録材料２０１に光化学反応が生じ、モノマーがオリゴマーやポリマーに変化したり、ポリマー同士が架橋したりするような、記録材料２０１の新たな化合物への変化や、新たに生成された化合物が析出したり凝集したりすること等が挙げられる。
【００５０】
上記のような変化が生じうる記録材料２０１としては、例えば、熱硬化性樹脂等のサーモプラスチックや、光重合型フォトポリマーや光架橋型フォトポリマー等のフォトポリマーや、強誘電体や常誘電体の結晶を利用したフォトリフラクティブ結晶や、ホログラム記録材料等を利用することが可能である。また、本実施形態に係る記録材料としては、上記のものに限定されるわけではなく、光照射により所望の変化が生じうる物質であれば、任意のものを使用することが可能である。
【００５１】
カバー層は、上述した初期化光線の波長に対して、十分な透過率を有する材質（換言すれば、初期化光線の波長の光を吸収しない材質）を用いて形成される層であり、カバー層の厚みは、必要とされる初期化光線の透過率が得られるように適宜調整される。このカバー層は、例えば、ガラス基板や、ポリカーボネート等のプラスチック樹脂基板等を用いて形成可能である。
【００５２】
なお、記録材料２０１単独で光情報記録媒体２０として必要とされる性能や耐久性を実現可能である場合には、記録材料２０１の両側にカバー層は配置されなくともよい。
【００５３】
（光情報記録媒体初期化装置１０の動作）
続いて、本実施形態に係る光情報記録媒体初期化装置１０の動作について、詳細に説明する。初期化されていない光情報記録媒体２０は、光情報記録媒体初期化装置１０の所定の位置に配置される。また、光情報記録媒体初期化装置１０内に設けられた光源１０１は、光情報記録媒体２０の種類に応じて波長が選択される。また、光情報記録媒体２０中に形成する変質層２０３の層の厚みや層数に応じて、光情報記録媒体２０への初期化光線の入射角度が適切な値となるように、角度調整ミラー１１１，１１３は、未図示の初期化装置制御部により予め傾きが調整されている。
【００５４】
光源１０１からの光線の射出が安定すると、シャッター制御装置１０５によりシャッター１０３が開けられ、光情報記録媒体２０の露光が開始される。光源１０１から射出された光線は、コリメートレンズ１０７を通過することで平行光線となるとともに、所定のビーム径まで拡大される。
【００５５】
平行光線となり、ビーム径が拡大された光線は、コリメートレンズ１０７の後段に設けられたビームスプリッター１０９により、初期化光線１と初期化光線２の２本の光線に分岐される。それぞれの初期化光線は、光路中に設けられた角度調整ミラー１１１，１１３により光路を適宜変更され、光情報記録媒体２０へと入射する。この際、初期化光線１の入射角度の大きさと、初期化光線２の入射角度の大きさは等しくなるように、角度調整ミラーは制御されている。
【００５６】
光情報記録媒体２０中の記録材料２０１へと入射した各初期化光線は、記録材料２０１中で互いに干渉して、定在波を発生する。記録材料２０１は、発生した定在波の強度分布に応じて変質し、記録材料２０１が変質した層である変質層２０３と、変質しなかった層である非変質層２０５とが交互に複数形成される。
【００５７】
記録材料２０１として、例えば光重合型フォトポリマーが用いられている場合には、定在波の強度分布に応じて光重合反応が進行し、記録材料２０１中のモノマーが重合してポリマーとなった層（変質層２０３）と、記録材料２０１中のモノマーがモノマーのまま存在している層（非変質層２０５）とが形成される。
【００５８】
十分な時間初期化光線が照射され、光情報記録媒体２０の初期化が終了すると、シャッター制御装置１０５はシャッター１０３を閉じ、露光を終了する。
【００５９】
このようにして初期化された光情報記録媒体２０は、いわゆる閾値特性を有する多層化された光情報記録媒体として利用することが可能である。ここで、光情報記録装置等においてモノマーをポリマーへと変質させて信号を記録する場合には、モノマーが存在している非変質層２０５が記録層として利用されることとなる。他方、光情報記録装置等においてポリマーをモノマーへと変質させて信号を記録する場合には、ポリマーが存在している変質層２０３が記録層として利用されることとなる。
【００６０】
以上説明したように、本発明によれば、光情報記録媒体２０を予め光情報記録媒体初期化装置１０にて初期化することで、光情報記録媒体２０内に、特性が異なる層を交互に複数作製することが可能となる。これにより、多層化記録が可能な閾値特性を有する光情報記録媒体を、簡素な作製プロセスにて作製することが可能となる。
【００６１】
また、本発明によれば、光情報記録媒体２０内に作製された層の厚み（間隔）は、光情報記録媒体初期化装置１０にて初期化光線を記録媒体に入射する際の光線角度により制御可能である。初期化光線の入射角度は、ミラー等の光路を変更可能な光学部材を用いることにより容易に変更できるため、所望の層間隔を、容易な調整にて得ることができる。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６３】
例えば、上述した実施形態においては、光情報記録媒体の初期化に要する時間（初期化時間）を、シャッター１０３の開閉時間により調整する場合について説明したが、光源１０１の出力を初期化装置制御部等により制御することで、初期化時間の調整を行なってもよい。
【図面の簡単な説明】
【００６４】
【図１】本発明の一実施形態に係る光情報記録媒体初期化装置を説明するための説明図である。
【図２】同実施形態に係る初期化光線の入射角度の一例について説明するための説明図である。
【図３】同実施形態に係る初期化された光情報記録媒体を説明するための説明図である。
【符号の説明】
【００６５】
１０    光情報記録媒体初期化装置
２０    光情報記録媒体
２２    基準線
１０１    光源
１０３    シャッター
１０５    シャッター制御装置
１０７    コリメータレンズ
１０９    ビームスプリッター
１１１，１１３    角度調整ミラー
２０１    記録材料
２０３    変質層
２０５    非変質層
【図１】
2009009620.tif 000007
【図２】
2009009620.tif 000008
【図３】
2009009620.tif 000009